(57)【要約】  人体の部位のための支持体、たとえば自転車のサドル、パッドを入れた支持要素、クッション、椅子、肘掛け椅子、肘掛け、トライアスロン自転車ハンドルの支持体は、支持シェル（２）と、上記シェル（２）上に位置決めされたパッド（３）と、パッド（３）を覆うコーティング（４）とを含み、パッド（３）は、コーティング（４）に直接接して配置されるポリウレタンゲルの第１の部分（５）と、支持シェル（２）に直接接して配置されるポリウレタンフォームの第２の部分（６）とを少なくとも含む。第１の部分（５）は、支持体（１）の上側支持表面の形状を実質的に再現する形状を有する層の形態である。これにより、第１の部分は、前部の厚さ（Ｄ２）および後部の厚さ（Ｄ３）より小さい中心の厚さ（Ｄ１）を有する。１つのバージョンでは、この支持体（１）の少なくとも一部は、再生可能および／または天然源に由来したポリマー材料を含む。
2014521550.tif 000002
【特許請求の範囲】
【請求項１】
たとえば自転車のサドル、パッドを入れた支持体、クッション、シート、肘掛け椅子、肘掛け、トライアスロン型ハンドル支持体である、人体の部位のための支持体（１）であって、支持本体（２）と、前記本体（２）に位置決めされたパッド（３）と、パッド（３）をカバーし、優れた連続的な支持表面を規定するコーティング（４）とを含み、前記パッド（３）は、コーティング（４）に直接接して配置されたポリウレタンゲルの第１の部分（５）と、支持本体（２）に直接接して配置された、少なくとも部分的にポリウレタンフォームからなる第２の部分（６）とを少なくとも含み、ゲルの前記第１の部分（５）は、支持体（１）の上側支持表面の形状を実質的に再現する形状を有する層の形態であり、ゲルの前記第１の部分（５）は、可変の厚さ、つまり中心において厚さ（Ｄｌ）、前部において厚さ（Ｄ２）、および後部において厚さ（Ｄ３）を有し、前記厚さ（Ｄｌ）は、前記前部および後部の厚さ（Ｄ２）および（Ｄ３）よりも小さいことを特徴とする、支持体。
【請求項２】
前記支持本体（２）および／または前記パッド（３）および／または前記コーティング（４）は、再生可能資源に由来したおよび／または天然ベースの少なくとも１つのポリマー材料を含む、請求項１に記載の人体の部位のための支持体。
【請求項３】
ゲルの前記第１の部分（５）は、ゲルの自由表面の面、つまりまだ液体状態にあり気圧状態下にあるときにゲル自身が有する上側表面の面において均一化を見出す必要なしに、所定の形状に従って、かつ正確な量のゲルの厚さを有する、請求項１または２に記載の人体の部位のための支持体。
【請求項４】
前記厚さ（Ｄ２）は、前記厚さ（Ｄ３）と同じである、先行する請求項のうちいずれか一項に記載の人体の部位のための支持体。
【請求項５】
異なる厚さを有する部分も緩やかに互いに結合される、先行する請求項のうちいずれか一項に記載の人体の部位のための支持体。
【請求項６】
前記第１の部分（５）は、ゲルより比重量が低い粒子（７）の分散を有するゲル、たとえば房または他の膨張したまたは低密度物質を含む、先行する請求項のうちいずれか一項に記載の人体の部位のための支持体。
【請求項７】
ゲルより比重量が低い前記粒子（７）は、コルク、および／またはトウモロコシ粉末、および／または木粉、および／または天然繊維、たとえば、ジュート、綿など、および／または天然由来および／または再生可能資源からの他の生成物を含む、請求項６に記載の人体の部位のための支持体。
【請求項８】
前記第１の部分（５）のゲルは、少なくとも部分的にヒマシ油、および／または大豆油、パーム油、カルダノール油、トウモロコシ油、および／または天然および／または野菜ベースの油に由来する天然由来のポリオール成分を含む、先行する請求項のうちいずれか一項に記載の人体の部位のための支持体。
【請求項９】
前記第１の部分（５）のゲルの前記ポリオール成分は、０．１％と５０％との間、好ましくは５％と４０％との間の割合でヒマシ油を含む、請求項８に記載の人体の部位のための支持体。
【請求項１０】
前記ポリオール成分は、０．１％〜５０％の割合で大豆油を含む、請求項８または９に記載の人体の部位のための支持体。
【請求項１１】
前記ポリオール成分は、０．１％と５０％との間でパーム油を含む、先行する請求項８〜１０のうちいずれか一項に記載の人体の部位のための支持体。
【請求項１２】
ゲルの前記第１の部分（５）は、少なくとも１つのポリイソシアネート、他の異性体と混合されたポリイソシアネート、および／または天然ベースのポリオールで改良されたポリイソシアネートを含む、先行する請求項８〜１１のうちいずれか一項に記載の人体の部位のための支持体。
【請求項１３】
前記第２のフォーム部分（６）は、少なくとも１つの天然由来の成分を含む、先行する請求項のうちいずれか一項に記載の人体の部位のための支持体。
【請求項１４】
前記フォーム部分（６）は、天然由来の成分の少なくとも５％〜９５％、好ましくは少なくとも２０％〜８０％、より一層好ましくは少なくとも３０％〜５５％を含む、先行する請求項のうちいずれか一項に記載の人体の部位のための支持体。
【請求項１５】
前記部分（６）は、たとえば、エチルビニル酢酸塩および／またはポリマー基材の少なくとも一つの誘導体のような非ポリウレタンフォームを含む、先行する請求項のうちいずれか一項に記載の人体の部位のための支持体。
【請求項１６】
前記第２のフォーム部分（６）の天然由来の前記成分は、天然由来の中間物、たとえば一般にヒマシ油および／または植物油のうち少なくとも一つから選択される、先行する請求項１３〜１５のうちいずれか一項に記載の人体の部位のための支持体。
【請求項１７】
前記コーティング（４）は、ヒマシ油および／または他の野菜および／または織物および／または不織布物質から得られる少なくとも１つのポリマーを含む、先行する請求項のうちいずれか一項に記載の人体の部位のための支持体。
【請求項１８】
前記コーティング（４）は、０．１ｍｍと０．６ｍｍとの間、好ましくは０．２ｍｍと０．５ｍｍとの間の厚さを有する、請求項１７に記載の人体の部位のための支持体。
【請求項１９】
前記コーティング（４）は、部分的にまたは完全に透明である、請求項１７または１８に記載の人体の部位のための支持体。
【請求項２０】
前記支持本体（２）は、ＲＩＬＳＡＮ（登録商標）１１と称される少なくとも１つのポリマー、および／または一般に再生可能資源に由来したおよび／またはヒマシ油および／または他の野菜材料、たとえばポリ乳酸に由来した天然ベースのポリマー材料を含む、先行する請求項のうちいずれか一項に記載の人体の部位のための支持体。
【請求項２１】
ゲルの前記第１の部分（５）は、ゲルの前記第１の部分（５）を、前記コーティング（４）および／または前記第２のフォーム部分（６）および／または前記支持本体（２）に適合可能にするおよび／または貼り付けるための手段を含む、先行する請求項のうちいずれか一項に記載の人体の部位のための支持体。
【発明の詳細な説明】
【技術分野】
【０００１】
発明の技術分野
本発明は、パッドを入れた支持要素、クッション、椅子、肘掛け椅子、肘掛け、トライアスロン自転車用のハンドルの支持体、および特に自転車のサドルのような、人体の部位などのための支持体に関し、以下で例として具体的に言及する。
【背景技術】
【０００２】
先行技術
人体の部位のための支持体の多くの設計が知られている。たとえば、特に利便性が高くかつ快適な種類の自転車のサドルは、同一出願人名義のＥＰ−０９０３３２１に記載されているものであり、「カバー」として知られる厚さ約０．７ｍｍ〜０．８ｍｍのＰＶＣコーティングによって被覆されたゲルおよびポリウレタンフォームでサドルにパッドが入れられることによって快適性が保証される。アセンブリ全体は、自転車のフレームに接続されなければならないプラスチックシェルに当接する。
【０００３】
さらなる例は、同じく同一出願人名義のＥＰ−２１３９７５１に記載されているものであり、サドルは環境影響が低い天然元素からなる。特に、このサドルは、熱可塑性または熱硬化性ポリマー基材に埋め込まれた天然繊維からなるシェルと、変形性が変動するゾーンとを有する。
【発明の概要】
【発明が解決しようとする課題】
【０００４】
しかし、規制がますます厳格となり、環境問題における感度がより大きくなっていることにより、消費者は、快適であることに加え、より一層環境保護的であり、生物分解性であるかまたは容易にリサイクルもしくは処分することができる商品を求めるようになっている。
【０００５】
たとえばＥＰ−０９０３３２１に記載されているサドルは、これらの要件を十分には満たしておらず、ＥＰ−２１３９７５１のサドルは、環境影響が低いポリウレタン種類のポリマー材料を含まない。
【０００６】
また、良好な快適性特性および低い環境影響を維持しつつ、人体の部位のための支持体の全重量を低減する必要性も感じられている。
【０００７】
発明の目的
本発明の１つの目的は、先行技術を向上させることである。
【０００８】
本発明の別の目的は、快適性の観点から向上した人体の部位のための支持体を提供することである。
【０００９】
本発明のさらなる目的は、先行技術と比較してより軽くより経済的な人体の部位のための支持体を提供することである。
【課題を解決するための手段】
【００１０】
本発明の局面によれば、請求項１に明記されるような人体の部位のための支持体が提供される。
【００１１】
従属クレームは、発明の好ましく有利な実施例に言及する。
従属クレームに含まれる他の局面によれば、したがって、環境保護の観点から、かつ再生可能資源に由来し、少なくとも部分的に生物分解性であり、容易にリサイクル可能および／または使い捨て可能である材料を少なくとも部分的に使用することによる環境影響について向上した人体の部位のための支持体を提供することが可能である。
【００１２】
発明のさらなる特性および利点は、添付図面と合わせて、例として示される自転車のサドルの記載から、より明確に明らかになるであろう。
【図面の簡単な説明】
【００１３】
【図１】本発明に係る人体の部位のための支持体の斜視図を示す図である。
【図２】図１に係る人体の部位のための支持体の、面ＩＩ−ＩＩに沿った縦断面図を示す図である。
【図３】先の図に係る人体の部位のための支持体の、面ＩＩＩ−ＩＩＩに沿った横断面図を示す図である。
【発明を実施するための形態】
【００１４】
発明の実施例
自転車のサドルのような、人体の部位のための支持体１は、部分的にまたは完全に透明であり得る外側コーティング４によって被覆されたパッド３が取付けられた支持シェル２を含む。
【００１５】
コーティング４は、実質的に滑らかであり、不連続性、折り目、こぶなどがない上側連続支持表面を規定する。
【００１６】
この特徴により、たとえば自転車のサドルによって構成される特定の場合、接点に不快をもたらす場合がある不連続性または表面粗さをユーザが知覚しないため、支持体は、ユーザにとって明らかに快適となる。
【００１７】
また、たとえば自転車のサドルである場合、連続支持表面は、特に滑らかな輪郭を与え、支持体を傾け、それをスポーツ目的のためにも好適とする。
【００１８】
パッド３は、外側コーティング４に直接接して配置される、ポリウレタンゲルからなる第１の部分５と、支持シェル２に直接接して配置される、ポリウレタンフォームからなる第２の部分６とを含む。２つの部分５および６はパッドを完全に規定し、互いに一体である、つまり互いに十分に結合される。
【００１９】
本発明の重要な特徴は、外側コーティング４の表面の推移を正確に再現する第１のゲル部分５の厚さ、およびしたがって人体の部位のための支持体１の上側支持表面の形態にも関連する。
【００２０】
図２および図３に示される例によれば、第１のゲル部分５の層の厚さは可変であり、より正確には、当該層は中心において厚さＤｌ、前部において厚さＤ２、および後部において厚さＤ３を有することが図２から分かる。また、第１のゲル部分５の層は、中心においてＤｌによって示される厚さと、側面においてＤ２によって示される異なる厚さとを有することが図３から分かる。
【００２１】
なお、第１の部分５の層の厚さは、したがって人体の部位のための支持体１の異なるゾーンの特定の快適性要件に適合化され得る。
【００２２】
図２および図３に示される例では、厚さＤｌは厚さＤ２およびＤ３よりも小さく、また厚さＤ２は厚さＤ３よりも小さい。
【００２３】
また、厚さが変動する部分は、緩やかに互いに接続される。
したがって、第１のゲル部分５によって提供される緩衝能力の実質的な差があり、その結果、この機能のために使用されるゲルの量も最適化される。
【００２４】
特に、第１のゲル部分５によって提供される制動能力の差は、支持体１の異なる領域におけるユーザの身体の異なる単位圧に対応する。単位圧が大きいほど、第１の部分５の制動能力は大きくなる。
【００２５】
基本的にゲルの厚さは、ゲルの自由表面の面、つまりまだ液体状態および大気圧下にあるときの、かつ完成品では第２のポリウレタンフォーム部分６を有する支持表面に対応する、ゲル自体の上側表面の面に関するレベルを規定する必要なしに、所定の形態および正確な量で分布し得る。
【００２６】
知られているように、このレベルは、ゲルが鋳造される型の支持面、すなわち基準面と平行な水平面によって決定される。
【００２７】
換言すると、第１のゲル部分５と第２のポリウレタンフォーム部分との間の支持表面は、既知の種類のいくつかの支持体に生じる、まだ液体状態にあるときのゲルの均一化のために平坦ではなく、代わりに、たとえば異なる領域において異なる厚さで実現されることが意図される厚さに関してモデル化される。この効果は、上記のように、滑らかな外側支持表面を有する、つまり不連続性またはこぶのない支持体１において有利に得られる。
【００２８】
必要とされるゲルがより少量であるため、サドルは全重量がより低い。なお、実際は、ゲルはフォームよりもはるかに大きな比重量を有し、したがって、フォームはゲルほど高価ではないため、製品のコスト全体の低下ももたらす。
【００２９】
さらに、固形物質であるゲルはフォームよりも熱容量が大きく、発明に係る支持体１を作成する際に使用されるゲル量が減少すると、特にたとえば支持体が自転車のサドル、ハンドルのホルダなどによって構成される場合に、日光照射による後者の過度な過熱が回避される。
【００３０】
図示される例では、第１の部分５は一つの断片として示されるが、言うまでもなく、この第１の部分５は、たとえば、骨盤の骨格を支持する点および／または前立腺ゾーンにおいて分割される２つ以上の断片でも構成され得る。したがって、第１の部分５は、優先的な快適なゾーンを規定するため、かつ美的外観を高めるために、所与の幾何学図形に従うように好適に構成され得る。
【００３１】
第１の部分５のゲルは、ゲルよりも比重量が低い粒子７の分散を、たとえば薄片または他の膨張した物質および／またはいずれにせよ低密度の物質の形態で含み得る。
【００３２】
これらの粒子７は、第１の部分５の重量をさらに減少させること、および特定の快適性機能を得ることも可能にする。
【００３３】
前述の粒子７は、コルク、および／またはトウモロコシ粉末、および／または木粉、および／または天然繊維、たとえばジュート、綿など、および／または天然由来であり、および／または再生可能資源から得られる他の生成物を含み得る。
【００３４】
また、第１の部分５のゲルは、天然由来の生成物から、および／または再生可能資源から、つまり化石起原ではない生成物から、主にまたは完全に得られ得る。
【００３５】
実際、第１の部分５のゲルは、少なくとも部分的に天然由来であり、ヒマシ油、および／または大豆油、および／またはパーム油、および／またはカルダノール油、および／またはトウモロコシ油、および／または天然および／または植物油に由来し得るポリオール成分を含む。
【００３６】
油種の含有量は、製品の最終特性を決定する。
たとえば、０．１％と５０％との間、好ましくは５％と４０％との間の割合量でヒマシ油が存在することは、第１の部分５のゲルと外側ポリウレタンフィルムコーティング４との間の化学的界面の連続性を保証するのに役立つ。０．１％と５０％との間の割合量で大豆油が存在することにより、ゲル／コーティング基板間の付着の特性が向上する。
【００３７】
０．１％と５０％との間の量でパーム油が存在することにより、再生可能資源および／または天然由来のポリウレタンゲルとポリウレタンフォームとの類似性が向上する一方、トウモロコシの処理に由来した生成物は、材料の架橋度を調節することができる。トウモロコシ処理に由来した生成物の量を増大させると、ゲルの架橋およびしたがってその硬度が増大する。
【００３８】
カルダノール油は、ポリウレタンセクタでの使用に好適な化学的／物理的性質を有する生成物を得るために精製され再処理されるカシューナッツの種の、食用のための機械的処理中に得られる農業廃棄物副生物である。
【００３９】
十分に規定されていない化学組成を有する上記副生物は、カシューナッツの殻に由来し、廃棄が困難な危険な汚染物質を構成し得るが、好適な処理工程が採用された場合、再生可能資源から得られる低コストの原料として使用することができる重要なリソースとなり、食用の目的のために処理することに関連付けられた環境問題への解決法も提供する。
【００４０】
ポリウレタンゲルの製造のためのポリオール組成物は、再生可能資源および／または天然生成物から完全にまたは部分的に由来し得る。
【００４１】
ポリオール成分が再生可能資源からのポリオールに１００％基づく場合、得られるポリウレタンゲルの組成は７０％〜８０％再生可能資源に由来する。
【００４２】
第２のポリウレタンフォーム部分６は、少なくとも５％〜９５％、好ましくは２０％〜８０％、さらに好ましくは３０％〜５５％の天然由来の成分で構成される。第２の部分６のいずれかの残りの部分は、ポリウレタンフォームおよび／または別の種類のフォーム、たとえばエチレン酢酸ビニル（ＥＶＡ）からなり、および／または一般にポリマー基材の少なくとも一つの誘導体を含む。第２のフォーム部分６の天然由来成分は、天然由来の外側コーティング４の材料、ポリウレタンフォーム、および特にヒマシ油および／または他の野菜材料に由来した野菜由来の支持シェル２の間の界面の、ポリマーのモノマーシーケンスのようなポリマー特性の連続性を部分的にでも維持するために、天然由来の中間物、および／またはパーム油、および／または大豆油、および／またはヒマシ油、および／または一般にいずれかの植物油のうち少なくとも１つを含む。
【００４３】
支持シェル２は、ＲＩＬＳＡＮ（登録商標）１１と称される少なくとも１つのポリマー、および／または一般に再生可能でありおよび／または天然源、ヒマシ油および／または他の野菜材料、たとえばポリ乳酸に由来したポリマー材料を含む。
【００４４】
外側コーティング４は、再生可能資源から完全にまたは部分的に得られるおよび／または野菜由来のポリウレタンのようなポリマー材料および／または、好適な機械的性質、耐湿性のような気圧因子に対する耐性、および耐紫外線性を保証するように好適に処理される他のポリマー材料から成り得る。
【００４５】
外側コーティング４のポリマー材料は、ヒマシ油、および／または他の野菜材料、および／または織物および／またはラテックスのような天然素材を用いて防水される天然由来の繊維を有する不織布から得られる、ＰＥＢＡＸ（登録商標）として知られるポリアミド１１のようなポリアミド材料も含み得る。得られる利点は、環境適合性材料からなることに加えて、外側コーティング４の厚さを０．０５ｍｍと０．６ｍｍとの間、好ましくは０．２ｍｍと０．５ｍｍとの間の値に低減し、同時にその快適性を向上させることができる点でもある。
【００４６】
実際、このように、人体の部位のための支持体１の軟性部品、つまり第１のゲル部分５および任意に第２のフォーム部分６との界面の干渉が低減され、したがって、それらによって与えられ、ユーザによって知覚される快適性の感覚が増大する。
【００４７】
また、その使用がまもなく禁止されることになる合成可塑剤が外側コーティング４から除去され、少なくとも１０％の野菜由来の組成を有する、人体の部位のための向上した支持体をもたらす。
【００４８】
コーティング４の透明な部分の一部は、ポリウレタンおよび／または他のポリマー材料のようなポリマー材料によって形成され、残りの部分、たとえば５０％は、ヒマシ油および／または別の野菜材料に基づくＰＥＢＡＸ（登録商標）と称されるポリマーのような野菜由来の生成物によって形成される。
【００４９】
環境保護の観点から、再生可能でありおよび／または天然源自体から得られる生成物の使用により、化石源からの石油製品の使用とＣＯ２のような結果として生ずる温室効果ガスの排出との減少によって、環境への影響が減少する。
【００５０】
また、部分的に野菜由来であるため、これらの生成物は生物分解性であり、したがってたい肥化に好適に使用され得る。廃棄については、多くのプラスチック材料がリサイクルされ、再使用され得る。
【００５１】
たとえば、ポリウレタンはカーペットの下敷きのために再生成され、新規な配合の充填材として以下の研削が導入され、いくつかの場合、焼却炉においてエネルギー回収のために使用される。
【００５２】
本発明の別の利点は、人体の部位のための支持体１の上部接触表面の推移を正確に再生する一定のまたは可変の厚さを有する層を有する第１のゲル部分５から生じ、したがって緩衝機能およびこの機能に使用されるゲルの量が最適化され、上記量が実質的に減少する。
【００５３】
このように考えられた発明に対して、すべて請求項の保護の範囲内にある多くの修正および変更を行い得る。
【図１】
2014521550.tif 000003
【図２】
2014521550.tif 000004
【図３】
2014521550.tif 000005
【国際調査報告】
2014521550.tif 000006
2014521550.tif 000007
2014521550.tif 000008